(57)【特許請求の範囲】
【請求項１】
モップの開口被覆部に差し込んでモップを支持する支持片と、該支持片の長さ方向の一端部に設けられたハンドルよりなるモップ保持具において、
係止爪を有するスライド体であって、支持片差込状態の開口被覆部に係止爪が噛み付く噛付位置と、開口被覆部から離れる離反位置との間でスライド自在に備えられると共に弾性部材により噛付位置に付勢されたスライド体を備え、
該スライド体には、開口被覆部に支持片を差し込む時に、開口被覆部が当接することにより弾性部材の弾性力に抗してスライド体を離反側へと押し開くカム面を形成してあることを特徴とするモップ保持具。
【請求項２】
請求項１記載のモップ保持具において、スライド体と一体に解除ボタンを形成し、該解除ボタンをハンドルの上面にスライド可能に露出させていることを特徴とするモップ保持具。
【請求項３】
請求項２記載のモップ保持具において、ハンドルの根元部を支持片に対して傾斜姿勢で結合し、スライド体及び解除ボタンを上記根元部の傾斜方向に沿ってスライド可能としていることを特徴とするモップ保持具。
【発明の詳細な説明】
【０００１】
【発明の属する技術分野】
この発明は、上面に袋状あるいはトンネル状の開口被覆部を形成したモップを保持するモップ保持具であって、開口被覆部に差し込まれる支持片と、該支持片の長さ方向の一端部に結合されたハンドルよりなるモップ保持具に関し、特に片手で握る短いハンドルを備えたハンディ型に適したモップ保持具に関する。
【０００２】
【従来の技術】
この種モップ保持具は、図１１に示すように長いへら状の支持片４１と、ハンドル４２とを備え、ハンドル４２の根元部４２ａにたとえばヒンジ４６を中心として回動自在に押えレバー４４を有し、該押えレバー４４の先端でモップＭの開口被覆部６の表面を押えている。押えレバー４４は、図示しないがばね及びボールを利用したデテント機構等により、押え状態でロックされる。
【０００３】
モップＭを装着する場合は、押えレバー４４をデテント機構等のばねに抗して矢印Ｄ方向に引き上げておき、支持片４１をモップＭの開口被覆部６に差し込み、その後押えレバー４４を戻し、デテント機構により押え状態に保持させる。
【０００４】
【発明が解決しようとする課題】
図１１の従来構造においてモップＭを装着する際には、前述のようにレバー４４を引き上げる操作と、モップＭの開口被覆部６に支持片４１を差し込む操作と、さらに差し込み後に、押えレバー４４を戻してデテント機構によりロックする操作が必要となり、操作手順が多くなる。
また、衝撃等でデテント機構に抗してレバー４４が開いてしまうことも考えられ、この場合、一旦開いてしまえば、自動的に噛付状態に戻ることはなく、モップが抜け落ちたり、あるいはずれたりする。
【０００５】
【発明の目的】
本願発明は、モップの開口被覆部に差し込む操作だけで簡単にモップの抜止めを行うことができ、しかも衝撃等がかかってもモップに対する抜止め状態を維持することができるモップ保持具を提供することを目的としている。
【０００６】
【目的を達成するための手段】
前記目的を達成するため、本願請求項１記載の発明によるモップ保持具は、モップの開口被覆部に差し込んでモップを支持する支持片と、該支持片の長さ方向の一端部に設けられたハンドルよりなるモップ保持具において、
係止爪を有するスライド体であって、支持片差込状態の開口被覆部に係止爪が噛み付く噛付位置と、開口被覆部から離れる離反位置との間でスライド自在に備えられると共に弾性部材により噛付位置に付勢されたスライド体を備え、
該スライド体には、開口被覆部に支持片を差し込む時に、開口被覆部が当接することにより弾性部材の弾性力に抗してスライド体を離反側へと押し開くカム面を形成してあることを特徴としている。
【０００７】
請求項２記載の発明は、請求項１記載のモップ保持具において、スライド体と一体に解除ボタンを形成し、該解除ボタンをハンドルの上面にスライド可能に露出させていることを特徴としている。
【０００８】
請求項３記載の発明は、請求項２記載のモップ保持具において、ハンドルの根元部を支持片に対して傾斜姿勢で結合し、スライド体及び解除ボタンを上記根元部の傾斜方向に沿ってスライド可能としていることを特徴としている。
【０００９】
【発明の実施の形態】
図１０はモップを装着した状態を示す本願発明によるモップ保持具の全体斜視図であり、モップ保持具は、細長い板状の支持片１と、該支持片１の長さ方向の一端に形成されると共に支持片１と反対側へと延びるハンドル２とから構成されている。以下、支持片１の長手方向を前後方向と仮定し、かつ図中に矢印で示すように、支持片先端側を前側と仮定して説明する。
【００１０】
モップ保持具に装着されるモップＭは、キャンパス地等よりなる長円形の基布４の下面に多数のパイル５を植設してなり、基布４の上面には、前後方向の両端に開口７を有するトンネル状の開口被覆部６が設けられている。この開口被覆部６に支持片１を後方から差し込み、モップＭを保持するようになっている。
【００１１】
図２は側面図を示しており、ハンドル２の根元部２ａは、支持片１に対して後上方へと延びるように傾斜しており、握り部２ｂは支持片１と概ね平行に延びている。根元部２ａと支持片１との結合部分には、前方に向いて開口して被覆部６が差し込まれるスリット１３が形成されている。
【００１２】
図１はモップ保持具の平面図であり、支持片１の前端は被覆部６に差し込み易いように半円形に形成されており、ハンドル根元部２ａの上面には解除ボタン１６が前後方向スライド可能に収納される長円形の開口部７が形成されている。ハンドル根元部２ａ内には、底面図の図３に示すようにスライド体収納室２２が形成され、該スライド体収納室２２内には、上記解除ボタン１６の下面に一体形成された被覆部係止用のスライド体１１及び同様に解除ボタン１６の下面に一体形成されたガイド板１４が収納されている。支持片１にもスライド体収納室２２に対応する形状の開口部８が形成され、該開口部８の前側部分はスライド体１１の左右幅Ｗ１より少し広い幅の矩形状の開口部８ａとなっている。
【００１３】
図４はスライド体１１の単体の側面図であり、スライド体１１は後上がり傾斜状に形成されており、後端部には、前記ガイド板１４の下側位置に丸棒状のガイドロッド１５が一体に形成されており、該ガイドロッド１５とガイド板１４とは、スライド体１１と同じ傾斜で後上がり状に後方へと延びている。スライド体１１の前端部下面には複数（たとえば３個）の係止爪１８が鋸刃状に形成されており、スライド体１１の最前端部には前上方に突出するガイド突起２０が一体に形成されている。各係止爪１８は後端面がほぼ垂直状に形成されているが、前端面１８ａは前倒れ状に傾斜しており、最前端の係止爪１８の前端面１８ａは前上方へと延長してカム面１９を形成している。解除ボタン１６の上面には指を載せて後上方へとスライドできるように部分球面状の凹部が形成されている。
【００１４】
図５は図４のＶ矢視図であり、解除ボタン１６は上方から見て円形に形成され、ガイド板１４はその左右幅が解除ボタン１６の左右幅Ｗ２と同じ寸法に設定され、後端は半円形に形成されている。一方スライド体１１はその左右幅Ｗ１が解除ボタン１６の左右幅Ｗ２の１／３〜１／２程度に狭くなっている。
【００１５】
図６は図１の解除ボタン１６等を取り除いた状態で示すハンドル根元部２ａの拡大部分平面図であり、スライド体収納室２２は、破線で示すようにその後端部が開口部７の後端よりもさらに後方へと延設されると共にばね受け用の底浅溝２６が形成されている。スライド体収納室２２の前半部は左右の垂直壁面が左右幅中央部側に張り出すことにより、幅狭のスライド体摺動路２７となっており、該スライド体摺動路２７は開口部７の前端よりも前方へと延びている。
【００１６】
図７は図１のVII-VII断面拡大図であり、ハンドル根元部２ａ内に形成されるスライド体収納室２２の下面は前記スリット１３及び支持片１の開口部８，８ａ等を介して下方に開口しており、スライド体収納室２２の上面はハンドル根元部２ａの上面に沿って後ろ上がり状に傾斜している。スライド体１１は図９に示すように前記スライド体摺動路２７に嵌合しており、図７の根元部２ａの上面と略平行に矢印Ａ１，２方向に摺動自在となっている。前端のガイド突起２０はスライド体収納室２２の前端部上面２２ａに摺接し、ガイド板１４の後部上面はスライド体収納室２２の後端部上面２２ｂに摺接しており、係合爪１８はスリット１３内に突出している。スライド体１１の後端縁と底浅溝２６の間には、ガイドロッド１５に嵌挿されたコイルばね２８が縮設され、該コイルばね２８の弾性力により、図７に示す噛付位置にスライド体１１を付勢し、解除ボタン１６の前端縁が開口部７の前端縁に当接することにより係止されている。前記底浅溝２６は支持片１の開口部８からスライド体収納室２２の上面まで連なっており、コイルばね２８を底側からスライド体収納室２２の所定位置まで挿入し、所定位置で動かないように安定させることができるようになっている。
【００１７】
図８はスライド体１１が離反位置に移動した状態を示しており、解除ボタン１６を矢印Ａ２方向にスライドさせることにより、ばね２８に抗してスライド体１１を矢印Ａ２方向へとスライドさせ、係止爪１８を引き上げた状態である。
【００１８】
【作用】
モップ着脱方法を説明する。モップを装着する場合には、図１のようにモップＭの開口被覆部６に後方から支持片１を差し込むのであるが、その差込み作業の最終行程では、図７に示すように被覆部６の後端部がスリット１３内へと挿入され、被覆部６の後端部がスライド体１１のカム面１９に当接すると、スライド体１１を相対的に後上方へと押し開きながら被覆部６は挿入される。また、各係止爪１８は前端面１８ａが前倒れ状の挿入勝手形状となっているので、被覆部６は係止爪１８に引っ掛かることなく、スリット１３の最奥端まで挿入される。
【００１９】
スリット１３の最奥端まで被覆部６の後端部を挿入することにより、モップＭの装着は自動的に完了する。すなわち、スライド体１１がばね２８により矢印Ａ１方向に付勢されていることにより、係止爪１８が被覆部６に自動的に噛み付く。また、係止爪１８の形状は挿入勝手の形状となっているので、被覆部６に引き抜き方向の力がかかっても、前方へのモップのずれを阻止し、抜落ちを防止する。
【００２０】
モップＭを取り外す場合は、ハンドル２を握っている手の指で解除ボタン１６を矢印Ａ２方向へとスライドすることにより、図８のように開口被覆部６の表面から係止爪１８を引き離し、モップＭを抜き取る。そして解除ボタン１６から指を離すことにより、ばね２８によって自動的にスライド体１１は図７の噛付位置に戻る。
【００２１】
【その他の実施の形態】
（１）支持片１の形状としては、図１では長い矩形となっているが、楕円形とすることもできる。弾性部材としては引張り型のコイルばねや、板ばねを利用することもできる。
【００２２】
【発明の効果】
以上説明したように本願発明は、
（１）  モップＭの開口被覆部６に差し込んでモップＭを支持する支持片１と、該支持片１の長さ方向の一端部に設けられたハンドル２よりなり、支持片差込状態のモップ開口被覆部６にばね２８等の弾性部材により係止爪１８が噛み付く噛付位置と、離れる離反位置との間でスライド体１１をスライド自在に備えており、該スライド体１１には、開口被覆部６に支持片１を差し込む時に、開口被覆部６が当接することによりばね２８の弾性力に抗してスライド体１１を離反側へと押し開くカム面１９を形成してあるので、被覆部６に支持片１を差し込む操作だけで自動的に係止爪１８が被覆部６に噛み付き、脱落不能に保持することができる。したがって、モップの装着作業が容易になると共に、モップに浸透させたる洗剤等により手を汚すこともない。
【００２３】
ばね２８等の弾性体の弾性力を利用して係止爪１８をモップに噛み付かせているので、モップ保持具に衝撃がかかっても、係止爪１８による噛付状態は維持され、常に安定した状態でモップＭを保持することできる。
【００２４】
請求項２記載の発明によると、解除ボタン１６をスライドさせるだけで、被覆部６への噛付きを外し、モップＭを引き抜くことができるので、モップ取外し作業が容易であり、また、取外し後は解除ボタン１６から指を離すだけで自動的に元の噛付位置にスライド体１１が戻り、余計な操作は不要である。
【００２５】
請求項３記載の発明によると、支持片１に対して斜めに延びるハンドル２の根元部２ａに解除ボタン１６を配置しているので、ハンドルを持った手の指で簡単に解除ボタン１６を操作することができ、解除操作が一層容易になる。
【図面の簡単な説明】
【図１】  本願発明を適用したモップ保持具の平面図である。
【図２】  図１のII矢視図である。
【図３】  図２のIII矢視拡大部分図である。
【図４】  スライド体単体の側面図（図５のIV矢視図）である。
【図５】  図４のＶ矢視図である。
【図６】  スライド体等を取り除いた状態で示すハンドル根元部の拡大平面図である。
【図７】  噛付位置の状態を示す図１のVII-VII断面拡大図である。
【図８】  離反位置の状態を示す図１のVII-VII断面拡大図である。
【図９】  図７のIX-IX断面図である。
【図１０】  モップ装着状態を示すモップ保持具の斜視図である。
【図１１】  従来例の斜視図である。
【符号の説明】
１  支持片
２  ハンドル
２ａ  ハンドル根元部
７  ボタン用の開口部
１１  スライド体
１４  ガイド板
１５  ガイドロッド
１６  解除ボタン
１８  係止爪
１８ａ  前端面
１９  カム面
２２  スライド体収納室
２８  コイルばね（弾性体）
【図１】
0003777042.tif 000002
【図２】
0003777042.tif 000003
【図３】
0003777042.tif 000004
【図４】
0003777042.tif 000005
【図５】
0003777042.tif 000006
【図６】
0003777042.tif 000007
【図７】
0003777042.tif 000008
【図８】
0003777042.tif 000009
【図９】
0003777042.tif 000010
【図１０】
0003777042.tif 000011
【図１１】
0003777042.tif 000012